(57)【要約】  【課題】従来の高倍速で記録可能なＣＬＶ方式の光ディスク装置においては、スピンドルモータの性能の制限により、光ディスクの半径位置に応じて記録速度を切り換えながら記録処理を実行している。しかしながら、記録速度を切り換える際にはＯＰＣ処理やサーボ状態のチェック等を行うための実行時間が必要となり、記録するデータ量によっては記録速度を半径位置のみで決定し切り換えるよりも現在回転している記録速度でそのまま記録してしまうほうが記録処理が早く終了する場合もある。  【解決手段】本発明は、記録予定データのデータ量、記録開始位置、ＯＰＣ処理やサーボ状態のチェックに必要な時間等に関する情報から、最適な記録速度に切り換えるための切換スケジュールを算出することにより、より短時間にて記録処理を行うことができる光ディスク装置を提案する。【選択図】            図１１
2006351062.tif 000002
【特許請求の範囲】
【請求項１】
ＣＬＶ方式の光ディスク装置であって、
ＣＬＶ速度切換部と、
記録予定データ量情報を取得する記録予定データ量情報取得部と、
取得された記録予定データ量情報に基づいてＣＬＶ速度切換部により切り換えられる各ＣＬＶ速度によって記録に必要とする記録必要時間を算出する記録必要時間算出部と、
を有する光ディスク装置。
【請求項２】
各ＣＬＶ速度に応じて書込に利用するレーザー光の出力制御を行うためのレーザー光出力制御部を有する請求項１に記載の光ディスク装置。
【請求項３】
ＣＬＶ速度切換部がＣＬＶ速度を切り換える際に、サーボ状態をチェックするサーボチェック部を有する請求項１又は２に記載の光ディスク装置。
【請求項４】
ＣＬＶ速度切換部からの速度切換予告信号に応じてレーザー光出力制御部がレーザー光出力制御に必要な時間を示す制御時間情報と、サーボチェック部がサーボチェックを実行するために必要な時間を示すチェック時間情報と、記録予定データを記録開始すべきディスク上の位置情報とを含む準備必要情報を取得する準備必要情報取得部と、
記録必要時間算出部にて算出される記録必要時間と、準備必要情報取得部が取得した準備必要情報と、に基づいて前記ＣＬＶ速度切換部の切換スケジュールを算出する第一切換スケジュール算出部と、
を有する請求項３に記載の光ディスク装置。
【請求項５】
ＣＬＶ方式の光ディスク装置の記録方法であって、
記録予定データ量情報を取得する記録予定データ量情報取得ステップと、
取得された記録予定データ量情報に基づいて各ＣＬＶ速度によって記録に必要とする記録必要時間を算出する記録必要時間算出ステップと、
ＣＬＶ速度が切り換えられる際に出力される速度切換予告信号に応じてレーザー光出力制御に必要な時間を示す制御時間情報と、サーボチェックを実行するために必要な時間を示すチェック時間情報と、記録予定データを記録開始すべきディスク上の位置情報とを含む準備必要情報を取得する準備必要情報取得ステップと、
前記記録必要時間算出ステップにて算出される記録必要時間と、前記準備必要情報取得ステップにて取得される準備必要情報と、に基づいてＣＬＶ速度の切換スケジュールを算出する第一切換スケジュール算出ステップと、
を有する光ディスク装置の記録方法。
【発明の詳細な説明】
【技術分野】
【０００１】
本発明は、高倍速で記録可能なＣＬＶ方式の光ディスク装置であって、より短時間にて記録処理を行うための機能を有する光ディスク装置に関する。
【背景技術】
【０００２】
近年、パソコンにおけるデータの保存やＤＶＤレコーダによる動画等の保存のために、ＤＶＤ−Ｒ、ＤＶＤ−ＲＷ、ＤＶＤ−ＲＡＭ、ＤＶＤ＋Ｒ、ＤＶＤ＋ＲＷ等の記録可能なＤＶＤディスクが使用されることが多くなっている。また、近年のＤＶＤレコーダはハードディスク（以下、ＨＤＤ）を内蔵したレコーダが主流となっており、保存するデータを一旦ＨＤＤに記録した後にＤＶＤディスクにデータを保存する方法も増えているため、そのような方法においては一度に大量のデータをＤＶＤディスクに記録することになる。ＤＶＤディスクでは通常４．７ＧＢ（ギガバイト）という大容量のデータが記録できるため、いわゆる１倍速（線速度３．４９メートル／秒）で記録処理を実行すると時間がかかるため、最高１６倍速という記録速度で記録する方法が主流となりつつある。しかしながら、ディスクの回転制御を行うスピンドルモータの性能により、スピンドルモータの回転数を最高１００００ｒｐｍ（回転／分）前後に抑えているのが現状である。スピンドルモータの最高回転数を１００００ｒｐｍに抑えるために、ディスクの最内周では６倍速、ディスクの最外周では１６倍速として、記録する半径位置によって６倍速から１６倍速の間で記録速度を切り換えながら記録している。具体的には、記録する半径位置をｒ、倍速をＡとすると、ｒ＝３．４９×Ａ÷（２×π×１００００÷６０）という式により、各倍速にて回転可能な半径位置が求められる。例えば、Ａ＝６（倍速）の時にはｒ＝１９．９ｍｍ（ミリメートル）と求められる。図１（ｂ）は、同様に各倍速について記録する半径位置を求めた結果を模式的に示した図である。６倍速で記録する半径位置は２４．０ｍｍ（ＤＶＤディスクにおけるデータ記録開始可能な最内周半径位置。計算上は１９．９ｍｍ。）から２６．７ｍｍまで、８倍速で記録する半径位置は２６．７ｍｍから４０．０ｍｍまで、１２倍速で記録する半径位置は４０．０ｍｍから５３．３ｍｍまで、１６倍速で記録する半径位置は５３．３ｍｍ以上となる。また、図１（ｂ）にて示す各半径位置におけるセクタ数は、ディスク上において実際にデータを記録可能な領域であるデータ領域の先頭からのセクタ数である。また、高倍速で記録するために、特許文献１に記載のように記録速度を切り換える際には各倍速に最適な記録パワーを得るためのＯＰＣ（Ｏｐｔｉｍｕｍ  Ｐｏｗｅｒ  Ｃｏｎｔｒｏｌ）処理等を実行する必要がある。また、ディスクの偏心や面振れなどによりサーボが正常に追従できるか等のチェックを各倍速にて行い、必要であれば記録速度を落とす等の処理を行う。
【特許文献１】特開２００４−２２０３９号公報
【発明の開示】
【発明が解決しようとする課題】
【０００３】
しかしながら、ＯＰＣ処理やサーボ状態の確認、さらに倍速を切り換えるときにスピンドルモータを加速させる処理等には実行時間を要する。このような処理実行時間を考慮した場合、記録するデータ量によっては記録速度を半径位置のみで決定し切り換えるよりも、現在回転している記録速度でそのまま記録してしまうほうが記録処理が早く終了する場合もある。例えば、データが記録されていないＤＶＤディスクに１９０４４００セクタのデータを記録する場合、従来の記録方法によると図１（ｂ）より半径位置５３．３ｍｍ以降は１６倍速で記録することが分かる。また、１９０４４００セクタのデータは半径位置５３．７ｍｍまでのデータ量である。また、１２倍速から１６倍速に切り換わる半径位置である５３．３ｍｍから５３．７ｍｍまでのデータ量は１９０４４００−１８６８４００＝３６０００（セクタ）である。このデータ量を１２倍速で記録する場合と１６倍速で記録する場合の時間を比較するが、１６倍速に切り換える際に実行するＯＰＣ処理、サーボ状態の確認、１２倍速から１６倍速に回転を上げるための処理等が合計で約５．５秒必要であるとする。また、１倍速で記録する場合に１セクタ約１．６ｍＳ（ミリ秒）必要であるとして算出すると、１２倍速で記録する場合の記録時間は約４．８秒であり、１６倍速で記録する場合の記録時間は約３．６秒であるがここにＯＰＣ処理等に必要な約５．５秒を加えると約９．１秒を要する。この結果から図１（ａ）に示すように、半径位置５３．３ｍｍにおいて１６倍速に切り換えるよりも１２倍速のまま記録し続ける方が記録処理は早く終了することが分かる。（なお、以上に挙げた数値は一例であり、半径位置とデータ量の関係などは実際には若干のずれがあり得る。）
【課題を解決するための手段】
【０００４】
本発明は、この課題を解決するために、記録予定データのデータ量から最適な記録速度を決定するための機能を有する光ディスク装置を提案する。本発明に係る光ディスク装置は、記録予定データのデータ量、記録開始位置、ＯＰＣ処理やサーボ状態の確認に必要な時間等に関する情報から、最適な記録速度に切り換えるための切換スケジュールを算出する機能を有する。
【発明の効果】
【０００５】
以上のように、本発明に係る光ディスク装置においては、記録予定データのデータ量等の情報から切換スケジュールを算出することができるため、従来の記録方法における記録時間よりも短時間でデータの記録を行うことが可能である。
【発明を実施するための最良の形態】
【０００６】
本発明を実施するための最良の形態について図面を用いて詳細に説明する。なお、本発明はこれら実施の形態に何ら限定されるものではなく、その要旨を逸脱しない範囲において、種々なる態様で実施しうる。なお、以下の実施形態と請求項の関係は次の通りである。実施形態１は、主に請求項１、２、３などについて説明する。実施形態２は、主に請求項４、５などについて説明する。
（実施形態１）
【０００７】
（実施形態１：概要）本実施形態は、記録予定データ量情報を取得し、取得した記録予定データ量情報に基づいて記録に必要とする記録必要時間を算出する機能を有する光ディスク装置に関する。
【０００８】
図２は、本実施形態に係る光ディスク装置の構成の概念図を例示する。光ディスクにデータを記録する場合、信号処理機構（０２０４）において記録するデータが記録するための信号に変換され、光ピックアップ（０２０１）からアクチュエータ（０２０２）を通してレーザー光が出力されて、スピンドルモータ（０２０５）により回転している光ディスク（０２０３）に記憶される。ここまでの構成は、従来の光ディスク装置と同様である。本実施形態に係る光ディスク装置は、これらの構成に加えてＣＬＶ速度切換部（０２１１）、記録予定データ量情報取得部（０２１２）、記録必要時間算出部（０２１３）、レーザー光出力制御部（０２１４）、サーボチェック部（０２１５）を有する。ＣＬＶ速度切換部（０２１１）は、直接的又は間接的にスピンドルモータ（０２０５）の回転速度を切り換える機能を有する。また、ＣＬＶ速度切換部（０２１１）は、自身が切り換え可能な速度を記録必要時間算出部（０２１３）に出力できるようになっていてもよい。記録予定データ量情報取得部（０２１２）は、記録予定データのデータ量を取得し、記録必要時間算出部（０２１３）に出力する。記録必要時間算出部（０２１３）は、ＣＬＶ速度切換部（０２１１）により切り換えられる各ＣＬＶ速度において記録に必要とする記録必要時間を算出する。また、サーボチェック部（０２１５）とレーザー光出力制御部（０２１４）は、ＣＬＶ速度切換部（０２１１）がスピンドルモータ（０２０５）の回転速度を切り換える際に、サーボ状態のチェックやレーザー光の出力制御を行う。また、図７は一般的なコンピュータの構成を例示する図でありコンピュータが主にＣＰＵ（０７１０）、入出力インタフェース（Ｉ／Ｏ）（０７２０）、ハードディスク（ＨＤＤ）（０７３０）、ＲＡＭ（０７４０）、ＲＯＭ（０７５０）等から構成されることを示しているが、ＣＬＶ速度切換部（０２１１）、記録予定データ量情報取得部（０２１２）、記録必要時間算出部（０２１３）、レーザー光出力制御部（０２１４）、サーボチェック部（０２１５）は、具体的には図７と同様の構成にて実現される。
【０００９】
（実施形態１：構成）本実施形態に係る光ディスク装置の機能ブロックを図３に例示する。図３に示す光ディスク装置（０３００）は、「ＣＬＶ速度切換部」（０３１０）と、「記録予定データ量情報取得部」（０３２０）と、「記録必要時間算出部」（０３３０）とを有する。光ディスク装置（０３００）は、ＣＬＶ方式にて光ディスクにデータの記録を実行するための装置である。また、「光ディスク」はＣＬＶ方式にて記録可能な光ディスク全般を指す。例えば、ＣＤ−Ｒ、ＣＤ−ＲＷ、ＤＶＤ−Ｒ、ＤＶＤ＋Ｒ、ＤＶＤ−ＲＷ、ＤＶＤ＋ＲＷ等が該当する。
【００１０】
「ＣＬＶ速度切換部」（０３１０）は、ＣＬＶ速度を切り換える機能を有する。「ＣＬＶ速度」とは、ＣＬＶ方式にて光ディスクにデータの記録を実行する際の記録速度を意味する。ＣＬＶ速度切換部は、具体的には、主にスピンドルモータや、スピンドルモータを回転させる回転制御系が該当する。また、図７において主にＣＰＵ（０７１０）がＨＤＤ（０７３０）、ＲＯＭ（０７５０）、ＲＡＭ（０７４０）等の記憶領域を利用して回転制御の処理を実行することにより実現される。さらに具体的には、ＣＬＶ速度切換部はスピンドルモータの速度を切り換えるための処理を実行するプログラムを含む。このプログラムは、例えば、記録処理を実行する際のＣＬＶ速度を所定の記憶領域から読み出す処理をＣＰＵに命令し、ＣＰＵは命令に従って読み出したＣＬＶ速度に応じてスピンドルモータを回転させる駆動系を動かすための処理を実行し、スピンドルモータを回転させる。また、光ディスク装置は速度を切り換えるタイミングと切り換え速度を定めたデフォルトの切換スケジュールを保持しており、ＣＬＶ速度切換部は、保持されているデフォルトの切換スケジュールに基づいてＣＬＶ速度を切り換えるようになっていてもよい。ただし、実施形態２又は実施形態３に係るＣＬＶ速度切換部においては、この切換スケジュールが変更可能となっていてもよい。また、ＣＬＶ速度切換部は、回転速度を切り換える際に速度切換予告信号を後述の準備必要情報取得部に出力してもよい。「速度切換予告信号」とは、主に速度を切り換える旨を示す情報であるが、切り換えた後の回転速度を示す情報等を含んでいてもよい。また、ＣＬＶ速度切換部にて切り換え可能な速度を後述の記録必要時間算出部（０３３０）に出力できるようになっていてもよい。この場合には、ＣＬＶ速度切換部は図７におけるＨＤＤ（０７３０）、ＲＡＭ（０７４０）、ＲＯＭ（０７５０）等の記憶媒体に切り換え可能な速度を示す情報を格納しておくことで、切り換え可能な速度を保持しておくことが可能である。
【００１１】
「記録予定データ量情報取得部」（０３２０）は、記録予定データ量情報を取得する機能を有する。「記録予定データ量情報」とは、これから記録するデータのデータ量を示す情報である。「これから記録するデータ」とは、例えば、光ディスク装置の利用者が光ディスク装置の記録ボタンを押下する等によってデータを記録しようとした際に、利用者が記録しようとしているデータが該当する。記録予定データ量情報は、例えば、記録予定データのデータファイルのプロパティ情報に含まれる情報である。光ディスク装置は、データの記録を開始する際に、まず、このデータファイルのプロパティ情報を読んでデータ量を取得することが想定されるが、この時に得られる情報である。また、記録途中に前記ＣＬＶ速度切換部（０３１０）から速度切換予告信号が出力される際に残りの記録すべきデータのデータ量が取得されるようになっていてもよい。これにより、記録途中でＣＬＶ速度が切り換わる際に残りのデータ量を知ることができる。また、記録予定データ量情報で示されるデータ量の単位は、バイト、セクタなどが想定される。また、記録予定データ量情報は、光ディスク装置（０３００）の内部又は外部から取得される。記憶予定データ量情報取得部は、具体的には、記録予定データ量情報を取得するための入力インタフェースや入力された入力信号を変換し所定の記憶領域に記憶するためのプログラム等を含む。図６は、記録予定データ量情報取得部の具体例を示す。（１）光ディスク装置の入力インタフェースを介して記録予定データ量情報が入力信号として入力される。この入力処理は、図７の構成におけるＩ／Ｏ（０７２０）により実現される。（２）入力された入力信号を信号処理して記録予定データ量情報を取得する。この信号処理は、図７の構成において、主にＣＰＵ（０７１０）が入力された入力信号をＲＡＭ（０７４０）にロードして変換処理することで実現される。（３）取得された記録予定データ量情報をＲＡＭ、ＲＯＭ、ＨＤＤなどの記憶媒体上のメモリ領域に書込み、という処理となる。
【００１２】
「記録必要時間算出部」（０３３０）は、取得された記録予定データ量情報に基づいてＣＬＶ速度切換部（０３１０）により切り換えられる各ＣＬＶ速度によって記録に必要とする記録必要時間を算出する機能を有する。「各ＣＬＶ速度によって記録に必要とする記録必要時間」とは、記録予定データの全部又は一部を、前記ＣＬＶ速度切換部にて切り換え可能なＣＬＶ速度によって記録する場合に必要な時間である。また、記録必要時間は、後述の第一切換スケジュール算出部にてＣＬＶ速度切換部の切換スケジュールを算出する際にも利用される情報である。また、記録予定データをディスクの途中から記録する場合には、記録開始するディスク上の半径位置を含む位置情報を考慮して記録必要時間を算出するようになっていてもよい。図８は、記録必要時間算出部の処理を例示する。図８においては、ＣＬＶ速度切換部（０８１０）にて切り換え可能なＣＬＶ速度を保持しており、「１倍速、６倍速、８倍速、１２倍速、１６倍速」という速度であったとする。また、切り換え可能なＣＬＶ速度は頻繁に変更されるものではないと思われるので、予め記録必要時間算出部（０８３０）が保持していてもよい。また、記録予定データ量情報取得部（０８２０）は記録予定データ量情報として「１９０４４００セクタ」という情報を取得し、この情報を記録必要時間算出部（０８３０）に出力する。記録必要時間算出部（０８３０）は、ＣＬＶ速度切換部（０８１０）から取得、又は自身が保持しているＣＬＶ速度と、記録予定データ量情報取得部（０８２０）から取得した記録予定データ量情報とから各ＣＬＶ速度によって記録に必要とする記録必要時間を算出する。例えば、図１のように記録途中でＣＬＶ速度が切り換わり各ＣＬＶ速度において記録するセクタ数が分かっている場合であって、各ＣＬＶ速度で記録する際の記録必要時間をそれぞれ算出する場合を例示する。例えば、図１（ｂ）のように各セクタにおいてＣＬＶ速度が切り換わる場合には、１倍速で記録する場合に１セクタ約１．６ｍＳ必要であるとして算出すると各ＣＬＶ速度における記録必要時間は、１倍速では記録を行わないので、０．０秒、６倍速では１１２８００セクタを記録するので、１１２８００×１．６÷６÷１０００≒３０．１（秒）、８倍速では８４４９００−１１２８００＝７３２１００セクタを記録するので、７３２１００×１．６÷８÷１０００≒１４６．４（秒）、１２倍速では１８６８４００−８４４９００＝１０２３５００セクタを記録するので、１０２３５００×１．６÷１２÷１０００≒１３６．５（秒）、１６倍速では１９０４４００−１８６８４００＝３６０００セクタを記録するので、３６０００×１．６÷１６÷１０００≒３．６（秒）、と算出される。また、例えば、記録予定データ量をすべて一定のＣＬＶ速度で記録する場合等を算出してもよい。１倍速で記録する場合に１セクタ約１．６ｍＳ必要であるとして算出すると各ＣＬＶ速度における記録必要時間は、ＣＬＶ速度が１倍速の場合、１９０４４００×１．６÷１０００≒３０４７．０（秒）、ＣＬＶ速度が６倍速の場合、１９０４４００×１．６÷６÷１０００≒５０７．８（秒）、ＣＬＶ速度が８倍速の場合、１９０４４００×１．６÷８÷１０００≒３８０��９（秒）、ＣＬＶ速度が１２倍速の場合、１９０４４００×１．６÷１２÷１０００≒２５３．９（秒）、ＣＬＶ速度が１６倍速の場合、１９０４４００×１．６÷１６÷１０００≒１９０．４（秒）、と算出される。また、図９は、記録必要時間算出部の具体例を示す。切り換え可能なＣＬＶ速度と記録予定データ量情報はＲＡＭ、ＲＯＭ、ＨＤＤなどの記憶媒体上のメモリ領域に記憶されているものとする。（１）ＲＡＭ、ＲＯＭ、ＨＤＤなどの記憶媒体上のメモリ領域からＣＬＶ速度を読込む。（２）ＲＡＭ、ＲＯＭ、ＨＤＤなどの記憶媒体上のメモリ領域から記録予定データ量情報を読込む。（３）読込んだＣＬＶ速度と記録予定データ量情報から記録必要時間を算出する。この処理は、図７の構成において、主にＣＰＵ（０７１０）が読込んだＣＬＶ速度と記録予定データ量情報をＲＡＭ（０７４０）にロードして処理することで実現される。（４）算出した記録必要時間をＲＡＭ、ＲＯＭ、ＨＤＤなどの記憶媒体上のメモリ領域に書込み、という処理となる。さらに具体的には、記録必要時間算出部は記録必要時間を算出するためのプログラムを含む。このプログラムは、例えば、ＣＬＶ速度と記憶予定データ量情報を所定の記憶領域から読み出す処理をＣＰＵに命令し、ＣＰＵは命令に従って読み出したＣＬＶ速度と記憶予定データ量情報により図８で説明したような演算処理を実行して記録必要時間を算出する。ＣＰＵは、算出した記録必要時間を所定の記憶領域に格納する。
【００１３】
また、光ディスク装置は図４に例示するように、さらに「レーザー光出力制御部」（０４１０）を有していてもよい。図３、図４において同じ記号で示される構成要件は同じものであることを意味している。
【００１４】
「レーザー光出力制御部」（０４１０）は、各ＣＬＶ速度に応じて書込に利用するレーザー光の出力制御を行うための機能を有する。「レーザー光の出力制御」とは、例えば、ＯＰＣ処理等を意味する。また、各ＣＬＶ速度におけるレーザー光出力制御に必要な時間を示す制御時間情報を算出し、後述の準備必要情報取得部に出力する機能を有していてもよい。レーザー光出力制御部において制御時間情報を算出する場合の具体的な処理としては、データベース等として所定の記憶領域に各ＣＬＶ速度と、各ＣＬＶ速度における制御時間情報を関連付けて保持しておき、制御時間情報を算出するためのプログラムが制御時間情報を知りたいＣＬＶ速度と、前記データベース等として所定の記憶領域に格納されているＣＬＶ速度との比較処理を実行するための命令をＣＰＵに対して行う。ＣＰＵは、この命令に従って両者の比較を行い、比較結果を出力する。プログラムは、比較結果に基づいて両者が等しい関係にある場合には、前記データベース等において比較したＣＬＶ速度と関連付けられている制御時間情報を所定の記憶領域から読み出し、記憶領域に格納する。
【００１５】
さらに、光ディスク装置は図５に例示するように、サーボチェック部（０５１０）を有していてもよい。また、レーザー光出力制御部（０４１０）は含まれていなくともよい。即ち、図３に例示の光ディスク装置にサーボチェック部（０５１０）を加えた構成であってもよい。図３、図４、図５において同じ記号で示される構成要件は同じものであることを意味している。
【００１６】
「サーボチェック部」（０５１０）は、ＣＬＶ速度切換部（０３１０）がＣＬＶ速度を切り換える際に、サーボ状態をチェックする機能を有する。また、各ＣＬＶ速度においてサーボチェックを実行するために必要な時間を示すチェック時間情報を算出し、後述の準備必要情報取得部に出力する機能を有していてもよい。サーボチェック部においてチェック時間情報を算出する場合の具体的な処理としては、データベース等として所定の記憶領域に各ＣＬＶ速度と、各ＣＬＶ速度におけるチェック時間情報を関連付けて保持しておき、チェック時間情報を算出するためのプログラムがチェック時間情報を知りたいＣＬＶ速度と、前記データベース等として所定の記憶領域に格納されているＣＬＶ速度との比較処理を実行するための命令をＣＰＵに対して行う。ＣＰＵは、この命令に従って両者の比較を行い、比較結果を出力する。プログラムは、比較結果に基づいて両者が等しい関係にある場合には、前記データベース等において比較したＣＬＶ速度と関連付けられているチェック時間情報を所定の記憶領域から読み出し、記憶領域に格納する。
【００１７】
（実施形態１：処理の流れ）図１０は、本実施形態に係る光ディスク装置における特徴である記録必要時間の算出に関する処理の流れを示すフロー図を例示する。最初に、切り換え可能なＣＬＶ速度を取得する。この処理はＣＬＶ速度切換部又は記録予定データ量情報取得部によって実行される（ＣＬＶ速度取得ステップ  Ｓ１０１０）。次に、記録予定データ量情報を取得する。この処理は記録予定データ量情報取得部によって実行される。ただし、この処理は前記ＣＬＶ速度取得ステップ（Ｓ１０１０）よりも先に実行されてもよい（記録予定データ量情報取得ステップ  Ｓ１０２０）。最後に、前記ＣＬＶ速度取得ステップ（Ｓ１０１０）にて取得された切り換え可能なＣＬＶ速度と、前記記録予定データ量情報取得ステップ（Ｓ１０２０）にて取得された記録予定データ量情報に基づいて、各ＣＬＶ速度によって記録に必要とする記録必要時間を算出する。この処理は記録必要時間算出部によって実行される（記録必要時間算出ステップ  Ｓ１０３０）。
【００１８】
（実施形態１：効果）本実施形態に係る光ディスク装置は、記録予定データ量情報を取得し、取得した記録予定データ量情報に基づいて記録に必要とする記録必要時間を算出する機能を有する。これにより、記録予定データのデータ量から最適な記録速度を決定するために有用な情報を得ることができる。
（実施形態２）
【００１９】
（実施形態２：概要）本実施形態は、実施形態１に係る光ディスク装置の機能に加え、ＣＬＶ速度切り換えに必要な時間情報等を含む準備必要情報を取得し、取得した準備必要情報と記録必要時間とに基づいて前記ＣＬＶ速度切換部の切換スケジュールを算出する機能を有する光ディスク装置に関する。
【００２０】
図１１は、本実施形態に係る光ディスク装置の構成の概念図を例示する。準備必要情報取得部（１１０１）と第一切換スケジュール（１１０２）以外の構成に関しては図２と同様であるので、ここでの説明は省略する。準備必要情報取得部（１１０１）は、ＣＬＶ速度切換部（０２１１）にてＣＬＶ速度が切り換えられる際にレーザー光出力制御部（０２１４）がレーザー光出力制御に必要な時間と、サーボチェック部（０２１５）がサーボチェックを実行するために必要な時間と、記録予定データを記録開始すべきディスク上の位置情報とを含む準備必要情報を取得する。第一切換スケジュール算出部（１１０２）は、記録必要時間算出部（０２１３）にて算出される記録必要時間と、準備必要情報取得部（１１０１）にて取得される準備必要情報とに基づいて、前記ＣＬＶ速度切換部（０２１１）の切換スケジュールを算出する。
【００２１】
（実施形態２：構成）本実施形態に係る光ディスク装置の機能ブロックを図１２に例示する。図１２に示す光ディスク装置（１２００）は、「ＣＬＶ速度切換部」（１２１０）と、「記録予定データ量情報取得部」（１２２０）と、「記録必要時間算出部」（１２３０）と、「レーザー光出力制御部」（１２４０）と、「サーボチェック部」（１２５０）と、「準備必要情報取得部」（１２６０）と、「第一切換スケジュール算出部」（１２７０）とを有する。前記準備必要情報取得部（１２６０）と前記第一切換スケジュール算出部（１２７０）以外の構成に関しては、実施形態１に係る光ディスク装置と同様であるのでここでの説明は省略する。
【００２２】
「準備必要情報取得部」（１２６０）は、ＣＬＶ速度切換部（１２１０）からの速度切換予告信号に応じてレーザー光出力制御部がレーザー光出力制御に必要な時間を示す制御時間情報と、サーボチェック部がサーボチェックを実行するために必要な時間を示すチェック時間情報と、記録予定データを記録開始すべきディスク上の位置情報とを含む準備必要情報を取得する機能を有する。また、準備必要情報は、他の情報を含んでいてもよい。例えば、ＣＬＶ速度を切り換える際にはスピンドルモータの回転を加速させるために若干の時間がかかるが、このような情報をも含んでいてもよい。制御時間情報は前記レーザー光出力制御部（１２４０）から取得することができる。チェック時間情報は前記サーボチェック部（１２５０）から取得することができる。記録予定データを記録開始すべきディスク上の位置情報は、ディスク上の半径位置を示す情報を含む。位置情報は、ディスクの中心からの絶対位置により表されてもよいしディスクの記録開始可能位置（ＤＶＤディスクの場合、２４．０ｍｍ）からの相対位置であってもよい。また、準備必要情報取得部における処理は、図７の構成においてＣＰＵ（０７１０）がＨＤＤ（０７３０）、ＲＡＭ（０７４０）、ＲＯＭ（０７５０）等から制御時間情報と、チェック時間情報と、記録予定データを記録開始すべきディスク上の位置情報等を読出すことにより実現される。
【００２３】
「第一切換スケジュール算出部」（１２７０）は、記録必要時間算出部（１２３０）にて算出される記録必要時間と、準備必要情報取得部（１２６０）が取得した準備必要情報と、に基づいて前記ＣＬＶ速度切換部（１２１０）の切換スケジュールを算出する機能を有する。「切換スケジュール」とは、前記ＣＬＶ速度切換部（１２１０）がＣＬＶ速度を切り換えるタイミング等を示す情報である。図１３は、第一切換スケジュール算出部の処理を例示する。前述のように、１９０４４００セクタのデータを記録する場合を例示する。光ディスク装置が図１（ｂ）のような速度を切り換えるタイミングと切り換え速度を定めたデフォルトの切換スケジュールを保持しており、記録必要時間算出部（１３１０）においては、デフォルトの切換スケジュールに基づいて切り換えられる各ＣＬＶ速度において記録する際の記録必要時間を算出したとする。また、準備必要情報取得部（１３２０）においては、制御時間情報として各ＣＬＶ速度に切り換える毎に約２．０秒、チェック時間情報として各ＣＬＶ速度に切り換える毎に約３．０秒、各ＣＬＶ速度に切り換える毎にスピンドルモータを加速させるために必要な時間として約０．５秒、記録を開始するディスク上の半径の絶対位置として２４．０ｍｍという情報が取得されているとする。記録必要時間算出部（１３１０）と準備必要情報取得部（１３２０）において取得されたこれらの情報から、第一切換スケジュール算出部（１３３０）にて切換スケジュールを算出する。まず、記録必要時間算出部（１３１０）において図１（ｂ）のようにＣＬＶ速度を切り換える場合の各ＣＬＶ速度における記録必要時間が算出され、算出された記録必要時間は第一切換スケジュール算出部（１３３０）に渡される。また、準備必要情報取得部（１３２０）から取得された準備必要情報より、ＣＬＶ速度を切り換える際に必要な時間は全部で、２．０＋３．０＋０．５≒５．５（秒）である。よって、図１（ｂ）の記録方法による記録時間は、３０．１＋１４６．４＋１３６．５＋３．６＋５．５×３≒３３３．１（秒）である。次に、図１（ａ）の記録方法による記録時間を算出する。図１（ｂ）において１６倍速で記録する３６０００セクタを１２倍速で記録すると、３６０００×１．６÷１２÷１０００≒４．８（秒）である。よって、図１（ａ）の記録方法による記録時間は、３０．１＋１４６．４＋１３６．５＋４．８＋５．５×２≒３２８．８（秒）となり図１（ｂ）の記録方法よりも（ａ）の記録方法により記録処理したほうが早く処理が終了することが分かる。このような比較処理等を行うことにより、最適なＣＬＶ速度切換を実行するための切換スケジュールを算出する。この場合、切換スケジュールとしては、「２４．０ｍｍから２６．７ｍｍ（又は１１２８０００セクタ）までは６倍速、４０．０ｍｍ（又は８４４９００セクタ）までは８倍速、以降は１２倍速」等を示す情報となる。また、図１４は、第一切換スケジュール算出部の具体例を示す。記録必要時間と準備必要情報はＲＡＭ、ＲＯＭ、ＨＤＤなどの記憶媒体上のメモリ領域に記憶されているものとする。（１）ＲＡＭ、ＲＯＭ、ＨＤＤなどの記憶媒体上のメモリ領域から記録必要時間を読込む。（２）ＲＡＭ、��ＯＭ、ＨＤＤなどの記憶媒体上のメモリ領域から準備必要情報を読込む。（３）読込んだ記録必要時間と準備必要情報から切換スケジュールを算出する。この処理は、図７の構成において、主にＣＰＵ（０７１０）が読込んだ記録必要時間と準備必要情報をＲＡＭ（０７４０）にロードして処理することで実現される。（４）算出した切換スケジュールをＲＡＭ、ＲＯＭ、ＨＤＤなどの記憶媒体上のメモリ領域に書込み、という処理となる。さらに具体的には、第一切換スケジュール算出部は切換スケジュールを算出するためのプログラムを含む。このプログラムは、例えば、記録必要時間と準備必要情報を所定の記憶領域から読み出す処理をＣＰＵに命令し、ＣＰＵは命令に従って読み出した記録必要時間と準備必要情報により図１３で説明したような演算処理を実行して切換スケジュールを算出する。ＣＰＵは、算出した切換スケジュールを所定の記憶領域に格納する。
【００２４】
また、本実施形態に係る光ディスク装置は、ＣＬＶ方式の光ディスク装置であって、ＣＬＶ速度切換部と、記録予定データ量情報を取得する記録予定データ量情報取得部と、各ＣＬＶ速度に応じて書込に利用するレーザー光の出力制御を行うためのレーザー光出力制御部と、ＣＬＶ速度切換部がＣＬＶ速度を切り換える際に、サーボ状態をチェックするサーボチェック部と、ＣＬＶ速度切換部からの速度切換予告信号に応じてレーザー光出力制御部がレーザー光出力制御に必要な時間を示す制御時間情報と、サーボチェック部がサーボチェックを実行するために必要な時間を示すチェック時間情報と、記録予定データを記録開始すべきディスク上の位置情報とを含む準備必要情報を取得する準備必要情報取得部と、記録予定データ量情報取得部が取得した記録予定データ量情報と、各ＣＬＶ速度での単位時間当たり記録データ量と、準備必要情報取得部が取得した準備必要情報と、に基づいて前記ＣＬＶ速度切換部の切換スケジュールを算出する第二切換スケジュール算出部と、を有する光ディスク装置、ということもできる。（この場合の構成を、図１６に例示する。）なぜならば、記録予定データ量と、各ＣＬＶ速度での単位時間当たり記録データ量とから、各ＣＬＶ速度によって記録必要時間は算出可能であるので、前記記録必要時間算出部において記録必要時間を算出せずとも、第二切換スケジュール算出部において切換スケジュールを算出する際に、記録予定データ量情報と各ＣＬＶ速度での単位時間当たりの記録データ量に基づいて記録必要時間を算出することも可能だからである。
【００２５】
（実施形態２：処理の流れ）図１５は、本実施形態に係る光ディスク装置における処理の流れを示すフロー図を例示する。最初に、切り換え可能なＣＬＶ速度を取得する。この処理はＣＬＶ速度切換部又は記録予定データ量情報取得部によって実行される（ＣＬＶ速度取得ステップ  Ｓ１５１０）。次に、記録予定データ量情報を取得する。この処理は記録予定データ量情報取得部によって実行される。ただし、この処理は前記ＣＬＶ速度取得ステップ（Ｓ１５１０）よりも先に実行されてもよい（記録予定データ量情報取得ステップ  Ｓ１５２０）。次に、前記ＣＬＶ速度取得ステップ（Ｓ１５１０）にて取得された切り換え可能なＣＬＶ速度と、前記記録予定データ量情報取得ステップ（Ｓ１５２０）にて取得された記録予定データ量情報に基づいて、各ＣＬＶ速度によって記録に必要とする記録必要時間を算出する。この処理は記録必要時間算出部によって実行される（記録必要時間算出ステップ  Ｓ１５３０）。次に、準備必要情報を取得する。この処理は準備必要情報取得部によって実行される（準備必要情報取得ステップ  Ｓ１５４０）。最後に、前記記録必要時間算出ステップ（Ｓ１５３０）にて算出された記録必要時間と、前記準備必要情報取得ステップ（Ｓ１５４０）にて取得された準備必要情報と、に基づいてＣＬＶ速度の切換スケジュールを算出する。この処理は第一切換スケジュール算出部によって実行される（第一切換スケジュール算出ステップ（Ｓ１５５０）。
【００２６】
（実施形態２：効果）本実施形態に係る光ディスク装置は、ＣＬＶ速度切り換えに必要な時間情報等を含む準備必要情報を取得し、取得した準備必要情報と記録必要時間とに基づいて前記ＣＬＶ速度切換部の切換スケジュールを算出する機能を有する。これにより、より短時間にて光ディスクに対してデータの記録を行うことが可能となる。
【図面の簡単な説明】
【００２７】
【図１】本発明に係る光ディスク装置における記録方法を示す模式図
【図２】実施形態１に係る光ディスク装置の構成の概念図
【図３】実施形態１に係る光ディスク装置の機能ブロック図
【図４】実施形態１に係る光ディスク装置の機能ブロック図
【図５】実施形態１に係る光ディスク装置の機能ブロック図
【図６】記録予定データ量情報取得部の具体例
【図７】一般的なコンピュータの構成を例示する図
【図８】記録必要時間算出部の処理例
【図９】記録必要時間算出部の具体例
【図１０】記録必要時間の算出に関する処理の流れを示すフロー図
【図１１】実施形態２に係る光ディスク装置の構成の概念図
【図１２】実施形態２に係る光ディスク装置の機能ブロック図
【図１３】第一切換スケジュール算出部の処理例
【図１４】第一切換スケジュール算出部の具体例
【図１５】実施形態２に係る光ディスク装置の処理の流れを示すフロー図
【図１６】実施形態２に係る光ディスク装置の別の構成を示す図
【符号の説明】
【００２８】
０２０１    光ピックアップ
０２０２    アクチュエータ
０２０３    光ディスク
０２０４    信号処理機構
０２０５    スピンドルモータ
０２１１    ＣＬＶ速度切換部
０２１２    記録予定データ量情報取得部
０２１３    記録必要時間算出部
０２１４    レーザー光出力制御部
０２１５    サーボチェック部
１１０１    準備必要情報取得部
１１０２    第一切換スケジュール算出部
【図１】
2006351062.tif 000003
【図２】
2006351062.tif 000004
【図３】
2006351062.tif 000005
【図４】
2006351062.tif 000006
【図５】
2006351062.tif 000007
【図６】
2006351062.tif 000008
【図７】
2006351062.tif 000009
【図８】
2006351062.tif 000010
【図９】
2006351062.tif 000011
【図１０】
2006351062.tif 000012
【図１１】
2006351062.tif 000013
【図１２】
2006351062.tif 000014
【図１３】
2006351062.tif 000015
【図１４】
2006351062.tif 000016
【図１５】
2006351062.tif 000017
【図１６】
2006351062.tif 000018